(57)【要約】【課題】脱毛効率を向上させることができる脱毛用ピッカー及びこの脱毛用ピッカーを備えた脱毛装置を提供する。【解決手段】脱毛用ピッカー１０は、むだ毛を挟持するコイルバネ１６とコイルバネ挟持部材１１とから構成されている。コイルバネ１６表面は、粗面化されている。一方、コイルバネ挟持部材１１は、基部１２と基部１２から突出したコイルバネ挟持片１３、１４とから構成されており、コイルバネ挟持片１３、１４の先端部１３ａ、１４ａには、コイルバネ１６が固定されている。このような脱毛用ピッカー１０では、先端部１３ａと先端部１４ｂと間の間隔を狭めることによりコイルバネ１６を圧縮させて、コイルバネ１６にむだ毛を挟持させる。【選択図】      図２
2004215967.tif 000002
【特許請求の範囲】
【請求項１】
表面が粗面化された、毛を挟持するコイルバネと、
一方の先端部と他方の先端部とに前記コイルバネの端部が取り付けられ、前記一方の先端部と前記他方の先端部との間の間隔が変えられる一対のコイルバネ挟持片と、を具備することを特徴とする脱毛用ピッカー。
【請求項２】
前記コイルバネの表面粗さＲｍａｘは、１〜４００μｍであることを特徴とする請求項１記載の脱毛用ピッカー。
【請求項３】
請求項１又は２記載の脱毛用ピッカーと、
前記間隔を狭めて、前記コイルバネに毛を挟持させる間隔可変機構と、
前記脱毛用ピッカーを前記コイルバネ挟持片の後端部側に向けて移動させて、前記コイルバネに挟持された毛を引き抜く、脱毛用ピッカー移動機構と、を具備することを特徴とする脱毛装置。
【請求項４】
前記間隔可変機構は、前記脱毛用ピッカーを前記コイルバネ挟持片の後端部側に向けて移動させる脱毛用ピッカー移動部材と、
前記コイルバネ支持片を挟むように配設され、前記脱毛用ピッカーが脱毛用ピッカー移動部材により移動された際に前記コイルバネ支持片を押圧する押圧部材と、を備えていることを特徴とする請求項３記載の脱毛装置。
【請求項５】
前記コイルバネに高周波電流を供給する高周波発振回路をさらに備えることを特徴とする請求項３又は４記載の脱毛装置。
【請求項６】
脱毛する部分の皮膚にレーザ光を照射するレーザ光照射機構をさらに備えていることを特徴とする請求項３乃至５のいずれか１項に記載の脱毛装置。
【発明の詳細な説明】
【０００１】
【発明の属する技術分野】
本発明は、毛を引き抜く脱毛装置に関する。
【０００２】
【従来の技術】
近年、美容が特に注目されており、美容に関する装置の開発が進んでいる。それに伴い、むだ毛を引き抜く脱毛装置の開発も進んでいる。現在、脱毛装置には様々なタイプのものがある。例えば、ピンセット状の金具でむだ毛を挟持して、むだ毛を引き抜く脱毛装置（特許文献１参照。）及びコイルバネでむだ毛を挟持して、むだ毛を引く抜く脱毛装置が知られている（特許文献２参照）。
【０００３】
【特許文献１】
特開平１１−１６９２２６号公報
【特許文献２】
特開２０００−３４２３２７号公報
【０００４】
【発明が解決しようとする課題】
しかしながら、特許文献１の脱毛装置は、むだ毛を１本づつ抜いているため脱毛効率が低いという問題がある。また、特許文献２の脱毛装置は、コイルバネの表面を粗面化しているが、コイルバネを回転させてむだ毛を挟持しているため、挟持し損ねるむだ毛が多く脱毛効率が低いという問題がある。
【０００５】
本発明は、上記問題を解決するためになされたものである。即ち、脱毛効率を向上させることができる脱毛用ピッカー及びこの脱毛用ピッカーを備えた脱毛装置を提供することを目的とする。
【０００６】
【課題を解決しようとする手段】
本発明の脱毛用ピッカーは、表面が粗面化された、毛を挟持するコイルバネと、一方の先端部と他方の先端部とにコイルバネの端部が取り付けられ、一方の先端部と他方の先端部との間の間隔が変えられる一対のコイルバネ挟持片と、を具備することを特徴としている。本発明の脱毛用ピッカーは、一方の先端部と他方の先端部との間の間隔が変えられるため、一方の先端部と他方の先端部との間の間隔を狭めることができ、コイルバネに毛を挟持させることができる。このため、多量の毛を挟持することができる。また、確実に毛を挟持させることができる。それ故、本発明の脱毛用ピッカーを使用して脱毛した場合には、脱毛効率を向上させることができる。
【０００７】
上記コイルバネの表面粗さＲｍａｘ（最大高さ）は、１〜４００μｍであることが好ましい。このようなコイルバネを使用することにより、確実に毛を挟持することができる。
【０００８】
本発明の請求項１又は２記載の脱毛用ピッカーと、間隔を狭めて、コイルバネに毛を挟持させる間隔可変機構と、脱毛用ピッカーをコイルバネ挟持片の後端部側に向けて移動させて、コイルバネに挟持された毛を引き抜く、脱毛用ピッカー移動機構と、を具備することを特徴としている。本発明の脱毛装置は、請求項１又は２記載の脱毛用ピッカーを備えているので、脱毛効率を向上させることができる。また、間隔可変機構を備えているので、容易にコイルバネに毛を挟持させることができる。更に、ピッカー移動機構を備えているので、容易にコイルバネに挟持された毛を引き抜くことができる。
【０００９】
上記間隔可変機構は、脱毛用ピッカーをコイルバネ挟持片の後端部側に向けて移動させる脱毛用ピッカー移動部材と、コイルバネ支持片を挟むように配設され、脱毛用ピッカーが脱毛用ピッカー移動部材により移動された際にコイルバネ支持片を押圧する押圧部材と、を備えていることが好ましい。脱毛用ピッカー移動部材と押圧部材とを備えることにより、確実にコイルバネに毛を挟持させることができる。
【００１０】
上記脱毛装置は、コイルバネに高周波電流を供給する高周波発振回路をさらに備えることが好ましい。高周波発振回路を備えることにより、毛の再生を抑制することができる。また、脱毛をスムーズに行うことができる。
【００１１】
上記脱毛装置は、脱毛する部分の皮膚にレーザ光を照射するレーザ光照射機構をさらに備えていることが好ましい。レーザ光照射機構を備えることにより、毛の成長を抑制することができる。
【００１２】
【発明の実施の形態】
以下、本発明の第１の実施の形態に係る脱毛装置について説明する。図１は本実施の形態に係る脱毛装置の外観を模式的に示した平面図であり、図２は本実施の形態に係る脱毛装置の模式的な水平断面図であり、図３は本実施の形態に係る脱毛装置の模式的な垂直断面図である。図４は本実施の形態に係るコイルバネの模式的な垂直断面図であり、図５は本実施の形態に係る脱毛装置の制御系を示すブロック図である。
【００１３】
図１〜図３に示されるように、脱毛装置１は、前後方向に長いケース２を備えている。ケース２の前側側面及び後側側面には、開口２ａ、２ｂが形成されている。ケース２の上面には、後述するスライド部材２１を挟んで２つのスイッチ３、４が配設されている。スイッチ３は、脱毛装置１の電源のオン／オフを行うとともに、レーザ光の強度の調節を行うためのものである。また、スイッチ４は、高周波電流を後述するコイルバネ１６に流しながら脱毛を行う高周波脱毛モード、レーザ光を皮膚に照射しながら脱毛を行うレーザ脱毛モード、高周波電流をコイルバネ１６に流すとともにレーザ光を皮膚に照射しながら脱毛を行う高周波・レーザ脱毛モードの切り替えを行うためのものである。
【００１４】
スイッチ３、４の前方には、ＬＥＤ５、６が配設されている。ＬＥＤ５はレーザ光の強度状況を視覚的に示すためのものであり、ＬＥＤ６はモード状況を視覚的に示すためのものである。なお、ＬＥＤ５、６は、脱毛装置１の電源がオンすると、発光するように構成されているので、脱毛装置１の電源のオン／オフを確認することができる。
【００１５】
ケース２の開口２ａからは、脱毛用ピッカー１０の一部が突出している。脱毛用ピッカー１０は、後述するコイルバネ１６を挟持するコイルバネ挟持部材１１を備えている。コイルバネ挟持部材１１は、基部１２と基部１２から突出した一対のコイルバネ挟持片１３、１４とから構成されている。コイルバネ挟持片１３、１４は互いにほぼ平行になるように基部１２から突出している。また、コイルバネ挟持片１３、１４の先端部１３ａ、１４ａは開口２ａを介してケース２の外側に突出している。
【００１６】
コイルバネ挟持片１３、１４の外側側部には、コイルバネ挟持片の後端部に向けて先細となった突部１３ｂ、１４ｂが形成されている。このような突部１３ｂ、１４ｂを形成することにより、脱毛用ピッカー１０がケース２後方に向けてスライドしたとき、後述するローラ２３間に突部１３ｂ、１４ｂが入り込む。
【００１７】
コイルバネ挟持片１３、１４の中間部には、開口が形成された板状部材１５が取り付けられている。具体的には、板状部材１５の開口には、コイルバネ挟持片１３、１４が挿入されている。コイルバネ挟持片１３、１４を板状部材１５の開口に挿入することにより、コイルバネ挟持片１３、１４の広がりが抑制される。
【００１８】
コイルバネ挟持片１３、１４の先端部１３ａ、１４ａには、むだ毛を挟持するためのコイルバネ１６が固定されている。コイルバネ１６をコイルバネ挟持片１３、１４に固定することにより、先端部１３ａと先端部１４ａとの間の間隔を狭めたとき、コイルバネ１６が圧縮され、むだ毛がコイルバネ１６に挟持される。
なお、コイルバネ１６は軸線方向がコイルバネ挟持片１３、１４と直交するように先端部１３ａ、１４ａに固定されている。
【００１９】
コイルバネ１６は、例えば、洋白、リン青銅、チタン銅、及びコルソン合金のような銅合金、ステンレス、高ニッケル合金、チタン、硬鋼線、ピアノ線、シリマン、或いはクロシリ等から構成されている。なお、これらの材料に限らず、むだ毛よりも硬質な材料であれば、コイルバネ１６を構成する材料として使用することができる。また、コイルバネの断面は、断面が略円形状に形成されている。
【００２０】
コイルバネ１６の表面は粗面化されている。具体的には、コイルバネ１６の表面粗さＲｍａｘは約１〜４００μｍとなっている。ここで、表面粗さＲｍａｘの下限を約１μｍとしたのは、むだ毛の直径が約０．０１〜０．２ｍｍであるので、約１μｍを下回ると、むだ毛がコイルバネ１６の表面で滑ってしまい、むだ毛を確実に挟持することができないからである。一方、表面粗さＲｍａｘの上限を約４００μｍとしたのは、約４００μｍを上回ると、むだ毛を挟持する際にむだ毛が切れてしまうとともにむだ毛がコイルバネ１６表面の溝に入り込んでしまい、むだ毛を確実に挟持することができないからである。なお、このようなコイルバネ１６の表面の粗面化は、例えば、ショットピーニング等のブラスト処理、プレス加工、化学梨地、エッチング、或いはアルミナ砥粒の付着等により行うことができる。
【００２１】
コイルバネ挟持部材１１付近には、先端部１３ａと先端部１４ａとの間の間隔を変える間隔可変機構２０が配設されている。間隔可変機構２０は、脱毛用ピッカー１０をコイルバネ挟持片１３、１４の後端部側に向けて、即ち本実施の形態ではケース２後方に向けてスライドさせるスライド部材２１を備えている。
【００２２】
スライド部材２１は、ケース２上面に露出した指かけ部２１ａと、コイルバネ挟持片１３とコイルバネ挟持片１４との間に位置し、かつ指かけ部２１ａに対して略垂直に取り付けられた棒状部２１ｂを備えている。棒状部２１ｂは、このような位置に棒状部２１ｂを位置させることにより、指で指かけ部２１ａをケース２後方に向けて移動させたとき、基部１２が棒状部２１ｂにより押される。これにより、脱毛用ピッカー１０がケース２後方に向けてスライドする。また、この際、棒状部２１ｂは、後述するソレノイド作動スイッチ３３を押す。
【００２３】
ケース２とスライド部材２１には、スライドした脱毛用ピッカー１０を元の位置に戻すためのコイルバネ２２が接続されている。コイルバネ挟持片１３、１４よりも外側の位置及び突部１３ｂ、１４ｂよりも基部１２側の位置には、コイルバネ挟持片１３、１４を外側から挟み込む一対のローラ２３が配設されている。
このような位置にローラ２３を配設することにより、脱毛用ピッカー１０がケース２後方に向けてスライドしたとき、突部１３ｂ、１４ｂがローラ２３の間に入り込む。これにより、コイルバネ挟持片１３、１４がローラ２３により押され、先端部１３ａと先端部１４ｂと間の間隔が狭められる。なお、ローラ２３はケース２に固定されたローラ支持部材２４により回転可能に支持されている。
【００２４】
コイルバネ挟持部材１１よりも後方には、脱毛用ピッカー１０を牽引してコイルバネ１６に挟持されたむだ毛を引き抜くソレノイド３１が配設されている。ソレノイド３１中には、コイルバネ挟持部材１１の基部１２に接続された金属製の棒状部材３２が挿入されている。ソレノイド３１が作動することにより、棒状部材３２が更にソレノイド３１中に引き込まれ、むだ毛を挟持した脱毛用ピッカー１０が更にケース２後方に移動する。これにより、むだ毛が引き抜かれる。
【００２５】
基部１２の下側には、ソレノイド３１を作動させるソレノイド作動スイッチ３３が配設されている。棒状部２１ｂが脱毛用ピッカー１０をスライドさせる際にソレノイド作動スイッチ３３を押すことにより、ソレノイド３１に電流が流され、ソレノイド３１が作動する。
【００２６】
ケース２の開口２ｂ付近の位置には、プラグソケット４１が配設されている。
プラグソケット４１には、コード４２が接続されたプラグ４３が挿入されている。
【００２７】
ケース２の開口２ａ付近には、開口２ａを介して脱毛する部分の皮膚にレーザ光を照射するレーザ光照射機構５０が配設されている。レーザ光照射機構５０は、レーザ光を発生させるためのレーザダイオード５１を備えている。
【００２８】
レーザダイオード５１は、例えば、ＧａＡｓ（ガリウムアルセナイド）等の化合物半導体から構成されている。レーザダイオード５１は、アルミニウム等から形成されたヒートシンク５２に固定されている。レーザダイオード５１をヒートシンク５２に固定することにより、レーザダイオード５１から発せられる熱を逃がすことができ、レーザダイオード５１の性能の低下を抑制することができる。
なお、ヒートシンク５２に表面積を増やすために複数の貫通孔を形成してもよい。
【００２９】
ダイオード５１より前方には、レーザダイオード５１から発せられたレーザ光を集める球レンズ５３を配設されている。また、ケース２の開口２ａ付近には、レーザ光を安全に皮膚に照射するための一対のタッチセンサ５４が配設されている。タッチセンサ５４には図示しないリード線が接続されており、後述するタッチセンサ回路６７と電気的に接続されている。
【００３０】
ケース２の内部には、基板６０が配設されている。基板６０は、図５に示されるように脱毛装置１を統括的に制御するＣＰＵ６１を備えている。ＣＰＵ６１には、インターフェイス６２〜６５を介して、モードの切り替えを行うモード切替回路６６、タッチセンサ５４の皮膚への接触を検出するタッチセンサ回路６７、高周波電流を発生させる高周波発振回路６８、レーザダイオード５１を駆動させるレーザダイオード駆動回路６９が電気的に接続されている。また、ＣＰＵ６１には、各種プログラムを記憶したメモリ７０が電気的に接続されている。
【００３１】
タッチセンサ回路６７は、タッチセンサ５４が皮膚に接触したときに発生する微弱な交流電圧を、それぞれ帯域フィルタ、整流回路、増幅器を介して直流電圧に変換し、これを波形整形、レベル調整、オフセット調整した後、Ａ／Ｄ変換器、インタフェース６２を介してＣＰＵ６１に入力するように構成されている。なお、タッチセンサ回路６７は、接点式の他、静電容量や抵抗等のインピーダンス変化を検知するものや、圧電素子によって圧力変化を検知するものでもよい。高周波発振回路６８は、商用電源により供給された交流電流から２７ＭＨｚの高周波電流を発生させるように構成されている。
【００３２】
ＣＰＵ６１は、タッチセンサ回路６７から出力された信号に基づいてタッチセンサ５４が皮膚に接触しているか否かを判断する。例えば、高周波・レーザ脱毛モードを選択した場合で、タッチセンサ５４が皮膚に接触していると判断した場合には、コイルバネ１６に高周波電流が流れるような信号を高周波発振回路６８に出力するとともにレーザダイオード５１からレーザ光が発せられるような信号をレーザダイオード駆動回路６９に出力する。
【００３３】
以下、脱毛装置１の使用方法について、説明する。図６及び図７は本実施の形態に係る脱毛装置１の作動状態を模式図である。
【００３４】
まず、スイッチ３を押し、脱毛装置１の電源をオンにする。次いで、スイッチ４、３を押し、所望のモードを選択するとともにレーザ光の強度を調節する。なお、本実施の形態では、高周波・レーザ脱毛モードを選択した場合について説明する。
【００３５】
上記操作が完了した後、脱毛する部分の皮膚にコイルバネ１６を押し当て、コイルバネ１６の間にむだ毛を入り込ませる。ここで、コイルバネ１６を皮膚に押し当てると、タッチセンサ５４が皮膚に接触する。そして、ＣＰＵ６１でタッチセンサ５４が皮膚に接触したと判断されると、高周波発振回路６８から２７ＭＨｚの高周波電流が発生し、コイルバネ１６に高周波電流が流される。また、レーザダイオード５１からレーザ光が発せられ、脱毛する部分の皮膚にレーザ光が照射される。
【００３６】
次に、その状態で、指で指かけ部２１ａをケース２後方に向けて移動させて、図６（ａ）及び図６（ｂ）に示されるように脱毛用ピッカー１０をケース２後方に向けてスライドさせる。これにより、先端部１３ａと先端部１４ａとの間の間隔が狭められ、コイルバネ１６にむだ毛Ｈが挟持される。また、この際、棒状部２１ｂによりソレノイド作動スイッチ３３が押される。
【００３７】
ソレノイド作動スイッチ３３が押されると、ソレノイド３１に電流が流されて、図７（ａ）及び図７（ｂ）に示されるように脱毛用ピッカー１０が牽引される。これにより、コイルバネ１６に挟持されたむだ毛Ｈが引き抜かれる。
【００３８】
本実施の形態では、コイルバネ１６を圧縮して、コイルバネ１６にむだ毛を挟持させているので、脱毛効率を向上させることができる。即ち、コイルバネ１６を圧縮して、コイルバネ１６にむだ毛を挟持させているので、多量のむだ毛を挟持することができる。また、コイルバネ１６を回転させずにコイルバネ１６にむだ毛を挟持させているので、コイルバネ１６の間に入り込んだむだ毛を確実に挟持することができる。それ故、脱毛効率を向上させることができる。
【００３９】
本実施の形態では、コイルバネ１６の表面粗さＲｍａｘを約１〜４００μｍとしていので、確実にむだ毛を挟持することができる。
【００４０】
本実施の形態では、脱毛を行う際にコイルバネ１６に高周波電流を流しているので、むだ毛の再生を抑制することができるとともに脱毛をスムーズに行うことができる。即ち、コイルバネ１６に高周波電流が流されると、高周波熱によりコイルバネ１６に挟持されたむだ毛のシースと毛根の水分が蒸発する。これにより、むだ毛の再生が抑制される。一方、コイルバネ１６に高周波電流が流されると、高周波熱により毛穴に働いている筋肉（起毛筋）が縮まり、毛穴が開く。それ故、むだ毛が抜け易り、脱毛がスムーズに行われる。
【００４１】
本実施の形態では、脱毛を行う際に皮膚にレーザ光を照射するので、むだ毛の成長を抑制することができる。即ち、一般に、レーザ光は、他の光に比べてエネルギ密度が高いため、生体組織に照射した場合、照射部分の温度を比較的容易に上昇させることができる。これにより、レーザ光は、生体組織の所望の部位の蛋白質の変成などを意図的に引き起こさせる光熱反応や、また、代謝機能を促進するための、いわゆる非熱反応（４０°Ｃを超えない程度の比較的低い温度で起こる光化学反応、光磁気反応、イオン化反応などの生体反応）を誘起させることができる。従って、レーザ光を皮膚に照射することにより、毛母細胞の蛋白質の変成が促進され、むだ毛の成長が抑制される。
【００４２】
（第２の実施の形態）
以下、本発明の第２の実施の形態について説明する。なお、第１の実施の形態と重複する内容については説明を省略することもある。本実施の形態では、人手で直接脱毛用ピッカーを扱う例について説明する。図８（ａ）及び図８（ｂ）は本実施の形態に係る脱毛用ピッカーの使用状態を模式図である。
【００４３】
脱毛用ピッカー１０を直接手にし、脱毛する部分の皮膚にコイルバネ１６を押し当て、コイルバネ１６の間にむだ毛を入り込ませる。その状態で、指でコイルバネ挟持片１３、１４を外側から押圧し、図８（ａ）に示されるように先端部１３ａと先端部１４ａとの間の間隔を狭めて、コイルバネ１６にむだ毛Ｈを挟持させる。コイルバネ１６にむだ毛Ｈを挟持させた後、図８（ｂ）に示されるように人手で脱毛用ピッカー１０を皮膚から遠ざけて、コイルバネ１６に挟持されたむだ毛Ｈを引き抜く。
【００４４】
なお、本発明は上記実施の形態の記載内容に限定されるものではなく、構造や材質、各部材の配置等は、本発明の要旨を逸脱しない範囲で適宜変更可能である。上記実施の形態では、断面が略円形のコイルバネ１６を使用しているが、断面が多角形のコイルバネを使用していもよい。この場合でも、断面が略円形のコイルバネ１６と同様の効果が得られる。
【００４５】
上記実施の形態では、基部１２とコイルバネ挟持片１３、１４とが一体化しているが、別体であってもよい。また、第１及び第２の実施の形態では、コイルバネ挟持片１３、１４が互いに平行になっているが、先端部１３ａと先端部１４ａとの間の間隔がコイルバネ挟持片１３、１４における根元部の間の間隔よりも広くしてもよい。この場合には、コイルバネ挟持片１３、１４に突部１３ｂ、１４ｂを形成しなくとも、脱毛用ピッカー１０をケース２後方に向けてスライドさせるだけで先端部１３ａと先端部１４ｂとの間の間隔を狭めることができる。
【００４６】
上記実施の形態では、ソレノイド３１を使用してコイルバネ１６に挟持されたむだ毛を引き抜いているが、例えば、ゴム、モータ、バネ、或いはエアピストン等を使用してむだ毛を引き抜いてもよい。
【００４７】
上記実施の形態では、圧縮型のコイルバネ１６を使用してむだ毛を挟持しているが、ピッチが極めて小さい引張型のコイルバネを使用してむだ毛を挟持してもよい。この場合には、まず、コイルバネに力を加えて、コイルバネを引張り、コイルバネのピッチを広げる。コイルバネのピッチが広げられた状態で、コイルバネ間にむだ毛を入り込ませる。その後、コイルバネに加えられた力を取り除き、コイルバネを元も状態に戻す。これにより、コイルバネにむだ毛が挟持される。
【００４８】
上記実施の形態では、一つのコイルバネ１６でむだ毛を挟持しているが、複数のコイルバネ１６でむだ毛を挟持してもよい。
【００４９】
上記実施の形態では説明していないが、脱毛装置１に以下のものを取り付けてもよい。例えば、コイルバネ１６に振動を与えるための振動発生器を脱毛装置１に取り付けてもよい。脱毛装置１に振動発生器を取り付けて、コイルバネ１６にむだ毛を挟持させたときにコイルバネ１６に振動を与えることにより、むだ毛が抜け易くなる。振動発生器としては、例えば、偏心モータ、超音波発振器等が挙げられる。
【００５０】
コイルバネ１６を加熱するためヒータを脱毛装置１に取り付けてもよい。脱毛装置１にヒータを取り付けて、コイルバネ１６にむだ毛を挟持させたときにコイルバネ１６を加熱することにより、むだ毛が乾燥し、むだ毛が抜け易くなる。
【００５１】
脱毛状況を撮影する小型カメラ及び小型カメラで撮影した脱毛状況を映し出すモニタを脱毛装置１に取り付けてもよい。脱毛装置１に小型カメラ及びモニタを取り付けて、脱毛状況を撮影するとともに脱毛状況を映し出すことにより、まつ毛等の局所の脱毛が容易に行い得る。
【００５２】
脱毛装置１に対する脱毛用ピッカー１０の向きを変えるための向き可変機構を脱毛装置１に取り付けてもよい。脱毛装置１に向き可変機構を取り付けて、脱毛用ピッカー１０の向きを変えることにより、むだ毛の向きに沿ってむだ毛を引き抜くことができる。
【００５３】
脱毛ピッカー１０を皮膚に対して垂直に回転させるための回転機構を脱毛装置１に取り付けてもよい。脱毛装置１に回転機構を取り付けて、コイルバネ１６にむだ毛を挟持させた状態で脱毛ピッカーを皮膚に対して垂直に回転させることにより、むだ毛が抜け易くなる。
【００５４】
【発明の効果】
以上、詳説したように本発明の脱毛用ピッカー及び脱毛装置によれば、脱毛効率を向上させることができる。
【図面の簡単な説明】
【図１】図１は第１の実施の形態に係る脱毛装置の外観を模式的に示した斜視図である。
【図２】図２は第１の実施の形態に係る脱毛装置の模式的な水平断面図である。
【図３】図３は第１の実施の形態に係る脱毛装置の模式的な垂直断面図である。
【図４】図４は第１の実施の形態に係るコイルバネの模式的な垂直断面図である。
【図５】図５は第１の実施の形態に係る脱毛装置の制御系を示すブロック図である。
【図６】図６（ａ）及び図６（ｂ）は第１の実施の形態に係る脱毛装置の作動状態を模式図である。
【図７】図７（ａ）及び図７（ｂ）は第１の実施の形態に係る脱毛装置の作動状態を模式図である。
【図８】図８（ａ）及び図８（ｂ）は第２の実施の形態に係る脱毛用ピッカーの使用状態を模式図である。
【符号の説明】
１…脱毛装置
１０…脱毛用ピッカー
１１…コイルバネ挟持部材
１３、１４…コイルバネ挟持片
１３ａ、１４ａ…先端部
１６…コイルバネ
２０…間隔可変機構
２１…スライド部材
２３…ローラ
３１…ソレノイド
【図１】
2004215967.tif 000003
【図２】
2004215967.tif 000004
【図３】
2004215967.tif 000005
【図４】
2004215967.tif 000006
【図５】
2004215967.tif 000007
【図６】
2004215967.tif 000008
【図７】
2004215967.tif 000009
【図８】
2004215967.tif 000010